(57)【特許請求の範囲】
【請求項１】
ドームカバーと、
前記ドームカバーの内部に配置され、前記ドームカバーの外部を撮影するレンズ鏡筒ユニットと、
前記ドームカバーの内部に配置され、前記ドームカバーの外部を照射する照明部材と、前記レンズ鏡筒ユニットと前記照明部材を支持する支持部と、
前記レンズ鏡筒ユニットの光軸方向および光軸に直交する平面方向に移動可能で、
前記ドームカバーと前記照明部材の間に配置される遮光部材と、
前記遮光部材を光軸方向の前記ドームカバー側に付勢する第１の付勢部材と、
前記遮光部材を光軸に直交する平面方向に付勢する第２の付勢部材とからなるドーム型監視カメラ。
【請求項２】
カメラが衝撃を受けると、前記遮光部材は、
前記第１の付勢部材の付勢力と前記第２の付勢部材の付勢力に抗して、
光軸方向および光軸に直交する平面方向に移動することを特徴とする請求項１記載のドーム型監視カメラ。
【請求項３】
前記支持部は、
前記レンズ鏡筒ユニットが配置される第１の支持台と、
前記照明部材が配置され、前記第１の支持台を回転可能に支持する第２の支持台と、
前記第２の支持台を回転可能に支持する第３の支持台と、
前記第３の支持台を回転可能に支持する固定部からなり、
前記遮光部材は、前記第１の支持台と一体的に光軸周りに回転し、
前記第２の支持台によって光軸方向および光軸に直交する平面方向の移動が
規制されることを特徴とする請求項１〜２いずれか１項に記載のドーム型監視カメラ。
【請求項４】
前記照明部材が配置され、前記遮光部材の移動を規制する前記第２の支持台は、
金属製であることを特徴とする請求項３に記載のドーム型監視カメラ。
【発明の詳細な説明】
【技術分野】
【０００１】
本発明は、店舗、ホテル、銀行、駅などの建物に設置されて、不審者等を監視する監視カメラに関する。より詳細には透明のドームカバーを有し、その内部に被写体を照射する照明部材を内蔵したドーム型監視カメラに関する。
【背景技術】
【０００２】
監視カメラの一例であるドーム型監視カメラは、透明または半透明で半球形状のドームカバーを有し、その内部に被写体を撮影するレンズ鏡筒ユニットが配置されている。
【０００３】
さらにドーム型監視カメラの一部は、そのドーム内部に被写体を照射する照明部材を内蔵している。内部に照明部材を有することで、夜などの暗い撮影環境下においても、被写体の撮影を良好に継続することができる。ドーム内部に照明部材を配置したドーム型監視カメラは、自身が照射した光がドーム内部で反射して画像へ影響することを防ぐために、レンズ鏡筒ユニットと照明部材の間に遮光部材を配置している。
【０００４】
また監視カメラは、不審者等を監視することを目的としているため、そうでない一般の人々に対しても威圧感を与えていた。そのため、少しでもその威圧感を低減するために、ドーム型監視カメラのドームカバーを半透明のスモーク調にしたり、または透明のドームカバーの内部に黒色系の内カバーをかけることで、撮影方向をわかりにくくし、威圧感をより低減しているものもある。しかし、それでもこのことを好ましく思わない者が破壊に及ぶことがあり、たとえばバット等で殴打した場合に内部構造が損傷して機能しなくなることがある。このような問題を解決するために、監視カメラ装置の耐衝撃性を向上させることが必要であった。
【０００５】
特許文献１には、ドーム内部に照明部材を内蔵したドーム型監視カメラについて開示されている。特許文献２には、破壊行為などによる衝撃を吸収する機構を有するドーム型監視カメラが開示されている。
【先行技術文献】
【特許文献】
【０００６】
【特許文献１】特開２００５−１３６８００
【特許文献２】特開２００３−１７４５７２
【発明の概要】
【発明が解決しようとする課題】
【０００７】
しかしながら、上述の特許文献１に代表される従来のドーム型監視カメラにおいては、レンズ鏡筒ユニットに固定された遮光部材がドームと密接しているため、破壊行為などの被害にあうと、内部構造が損傷してしまうことがあった。
【０００８】
また上述の特許文献２に代表される従来のドーム型監視カメラにおいては、カメラの撮影方向とカメラに加わる衝撃方向によっては、レンズ鏡筒ユニットへの衝撃を回避することができず、内部構造が損傷してしまうことがあった。
【課題を解決するための手段】
【０００９】
本発明におけるドーム型監視カメラは、
ドームカバーと、
前記ドームカバーの内部に配置され、前記ドームカバーの外部を撮影するレンズ鏡筒ユニットと、
前記ドームカバーの内部に配置され、前記ドームカバーの外部を照射する照明部材と、
前記レンズ鏡筒ユニットと前記照明部材を支持する支持部と、
前記レンズ鏡筒ユニットの光軸方向および光軸に直交する平面方向に移動可能で、
前記ドームカバーと前記照明部材の間に配置される遮光部材と、
前記遮光部材を光軸方向の前記ドームカバー側に付勢する第１の付勢部材と、
前記遮光部材を光軸に直交する平面方向に付勢する第２の付勢部材を有することを特徴としている。
【発明の効果】
【００１０】
以上説明したように、本発明によれば、カメラの撮影方向とカメラが受ける衝撃方向によらず、高い衝撃性能を持ち、照明部材を内蔵したドーム型監視カメラを提供することができる。
【図面の簡単な説明】
【００１１】
【図１】本発明の実施例におけるドーム型監視カメラの部分断面斜視図
【図２】本発明の実施例におけるドーム型監視カメラの分解斜視図
【図３】本発明の実施例におけるドーム型監視カメラのチルトユニット部の分解斜視図
【図４】本発明の実施例におけるドーム型監視カメラの断面図
【図５】本発明の実施例におけるドーム型監視カメラの断面図
【図６】本発明の実施例におけるドーム型監視カメラの断面図
【図７】本発明の実施例におけるドーム型監視カメラの断面図
【発明を実施するための形態】
【００１２】
以下に、本発明の好ましい実施形態を、添付の図面、図１〜図７に基づいて詳細に説明する。図１は本実施形態におけるドーム型監視カメラ３１０の部分断面斜視図である。図２は本実施形態におけるドーム型監視カメラ３１０の分解斜視図である。図３は本実施形態におけるドーム型監視カメラ３１０のチルトユニット部３４０の分解斜視図である。図４〜７は本実施形態におけるドーム型監視カメラ３１０の断面図である。さらに図４はチルト回転軸上での断面を表しており、図５〜７はチルト回転軸に直交する面での断面を表している。
【００１３】
撮影光学系を含むレンズ鏡筒ユニット３８１は、被写体を撮影して映像信号を生成する。レンズ鏡筒ユニット３８１は、鏡筒に固定される固定レンズ、ズーム調整やフォーカス調整を行う可動レンズ、可動レンズを可動させるモーター、ＣＭＯＳセンサーなどの撮像素子、撮像素子が実装された電気基板などから構成される。なお、これらの固定レンズ、可動レンズ、モーター、撮像素子および電気基板については、一部を図示していない。センサー３８３は、撮像素子である。センサー電気基板３８４はセンサー３８３を実装した電気基板である。
【００１４】
センサー３８３とセンサー電気基板３８４などから構成されたレンズ鏡筒ユニット３８１により生成された映像信号は、図示しないケーブルにより、メイン電気基板３２６に伝送される。レンズ３８２はレンズ鏡筒ユニット３８１の前玉レンズである。
【００１５】
ドームカバー３２１は、透明または半透明のプラスチック製のカバー部材である。ドームカバー３２１は、不図示のねじなどにより、下ケース３２２に対して固定される。下ケース３２２は、ドームカバー３２１が取り付けられ、上ケース３２３に対して固定される。上ケース３２３には、下ケース３２２が取り付けられる。上ケース３２３は、メインベース３２４、メインベースカバー３２５およびメイン電気基板３２６を、不図示のボスなどにより支持し、固定する。さらに、上ケース３２３の底面部には、天井や壁などの設置場所に固定するための不図示の取付構造が備えられている。
【００１６】
メイン電気基板３２６は、レンズ鏡筒ユニット３８１から出力された映像信号を図示しないケーブル経由で受信する。そして、メイン電気基板３２６は、受信した映像信号を処理し、処理した映像信号に対して圧縮符号化処理を施す。さらに、メイン電気基板３２６は、圧縮符号化処理を施した映像信号を、たとえば、ネットワークを介して外部のカメラ制御装置へ配信する。なお、本実施形態におけるメイン電気基板３２６は、１枚の基板で構成されているものとするが、これに限るものではない。たとえば、２枚以上の基板でメイン電気基板３２６を構成するようにしても良い。
【００１７】
メインベース３２４とメインベースカバー３２５は、パン回転台３３１をパン回転可能に支持する。メインベース３２４は、パン回転台３３１の設置面側の支持部材である。メインベースカバー３２５は、パン回転台３３１のドームカバー側の支持部材であり、メインベース３２４に図示しないビスなどによって固定される。
【００１８】
パン回転台３３１は、チルト回転台Ａ３４１、チルト回転台Ｂ３４２などからなるチルトユニット部３４０をチルト回転可能に支持する。チルトねじ３４４は、チルト軸部を構成している。チルト回転台Ａ３４１、チルト回転台Ｂ３４２は、ローテーション回転台Ａ３６１、ローテーション回転台Ｂ３６２を光軸周りに回転可能に支持する。ローテーション回転台Ａ３６１、ローテーション回転台Ｂ３６２には、レンズ鏡筒ユニット３８１が図示しないねじなどによって固定される。
【００１９】
パン回転台３３１とチルト回転台Ａ３４１とチルト回転台Ｂ３４２とローテーション回転台Ａ３６１とローテーション回転台Ｂ３６２は、請求項１記載の支持部に相当する。ローテーション回転台Ａ３６１とローテーション回転台Ｂ３６２は、請求項３記載の第１の支持台に相当する。チルト回転台Ａ３４１とチルト回転台Ｂ３４２は、請求項３記載の第２の支持台に相当する。パン回転台３３１は、請求項３記載の第３の支持台に相当する。メインベース３２４とメインベースカバー３２５は、請求項３記載の固定部に相当する。
【００２０】
赤外照明電気基板３４３は、赤外照明部材を実装した電気基板である。赤外照明電気基板３４３は、チルト回転台Ａ３４１に固定される。赤外照明部材は、ドームカバー３２１の内部から、ドームカバー３２１の外部を照射する。赤外照明部材は、図示しない照度センサーやレンズ鏡筒ユニット３８１が撮影した画像などから検出される外部の明るさを基準にして、点灯と消灯を切り替えられる。
【００２１】
軟性部材３７２は、ゴムやスポンジなどで形成され、ホルダー３７１に取り付けられる。ホルダー３７１はローテーション回転台Ａ３６１に、光軸方向と光軸に直交する平面方向に移動可能に取り付けられる。ホルダー３７１は、レンズ鏡筒ユニット３８１と一体的に光軸周りに回転する。軟性部材３７２とホルダー３７１は、請求項１記載の遮光部材に相当する。
【００２２】
付勢部材Ａ３７３は、ホルダー３７１と軟性部材３７２を、光軸方向のドーム側に付勢する。付勢部材Ａ３７３は、たとえば公知のウエーブワッシャーである。付勢部材Ａ３７３は請求項１記載の第１の付勢部材に相当する。チルトカバー３７５には、付勢部３７５ａが形成される。付勢部３７５ａは、遮光部材を光軸に直交する平面方向に付勢する。チルトカバー３７５は、チルト回転台Ａ３４１に固定される。チルトカバー３７５と付勢部３７５ａは、請求項１記載の第２の付勢部材に相当する。
【００２３】
ここで、図５〜７を使用して、カメラが衝撃を受けた時の遮光部材の動作を説明する。図５は、通常の撮影状態を示している。付勢部材Ａ３７３は、軟性部材３７２とホルダー３７１からなる遮光部材をドームカバー３２１側に付勢し、軟性部材３７２をドームカバー３２１に密接させる。軟性部材３７２とドームカバー３２１が密接することで、ドームカバー３２１の内面で、赤外照明部材が発光した光が反射し、画像に影響が与えることを防ぐ。
【００２４】
図６は、ドーム型監視カメラ３１０が図６中のＸ方向に衝撃を受け、光軸方向後方へ遮光部材が移動した状態を示している。付勢部材Ａ３７３の付勢力に抗して、遮光部材が光軸方向（ドームカバー３２１から離れる方向）に移動することで、レンズ鏡筒ユニット３８１へ加わる衝撃を低減することができる。
【００２５】
遮光部材の光軸方向の移動の規制は、チルト回転台３４１によって行われる（図６、Ａ部）。遮光部材の光軸方向の移動の規制をチルト回転台Ａ３４１で行うことで、レンズ鏡筒ユニット３８１へ加わる衝撃を低減することができる。
【００２６】
図７は、ドーム型監視カメラ３１０が図７中のＹ方向に衝撃を受け、光軸に直交する方向へ遮光部材が移動したときの状態を示している。遮光部材が、チルトカバー３７５に形成された付勢部３７５ａの付勢力に抗して、光軸に直交する平面方向に移動することで、レンズ鏡筒ユニット３８１へ加わる衝撃を低減することができる。遮光部材の光軸に直交する平面方向の移動規制は、チルト回転台３４１によって行われる（図３、Ｂ部）。遮光部材の光軸に直交する平面方向への移動の規制をチルト回転台Ａ３４１で行うことで、レンズ鏡筒ユニット３８１へ加わる衝撃を低減することができる。
【００２７】
遮光部材が光軸方向および光軸に直交する方向に移動することで、レンズ鏡筒ユニット３８１撮影方向およびカメラに加わる衝撃の方向にかかわらず、レンズ鏡筒ユニット３８１に加わる衝撃を低減することができる。
【００２８】
チルト回転台Ａ３４１は、金属製であり、本実施例ではアルミダイカストである。遮光部材の移動を規制しているチルト回転台Ａ３４１をプラスチックなどと比べて剛性が高いアルミダイカストで構成することで、より耐衝撃性を向上することができる。
【００２９】
また一般に赤外照明部材は発熱量が大きいため、チルト回転台Ａ３４１をプラスチックなどと比べて熱伝導率が高いアルミダイカストで構成することで、赤外照明電気基板３４３の温度上昇をより小さくすることができる。これらによって、カメラの撮影方向とカメラが受ける衝撃方向によらず、高い衝撃性能を持ち、照明部材を内蔵したドーム型監視カメラを提供することができる。
【００３０】
以上、本発明の好ましい実施形態について説明したが、本発明はこの実施形態にのみ限定されるものではなく、その要旨の範囲内で種々の変形及び変更が可能である。
【符号の説明】
【００３１】
３１０  監視カメラ
３２１  ドームカバー
３２２  下ケース
３２３  上ケース
３２４  メインベース
３２５  メインベースカバー
３２６  メイン電気基板
３３１  パン回転台
３４０  チルトユニット部
３４１  チルト回転台Ａ
３４２  チルト回転台Ｂ
３４３  赤外照明電気基板
３４４  チルトねじ
３６１  ローテーション回転台Ａ
３６２  ローテーション回転台Ｂ
３７１  ホルダー
３７２  軟性部材
３７３  付勢部材Ａ
３７５  チルトカバー
３７５ａ  付勢部
３８１  レンズ鏡筒ユニット
３８２  レンズ
３８３  センサー
３８４  センサー電気基板
【図１】
0006440585.tif 000002
【図２】
0006440585.tif 000003
【図３】
0006440585.tif 000004
【図４】
0006440585.tif 000005
【図５】
0006440585.tif 000006
【図６】
0006440585.tif 000007
【図７】
0006440585.tif 000008